(57)【要約】【課題】デジタルカメラ或いはデジタルカメラ付き携帯電話において書籍・出版物などの印刷物の盗撮を防止する。【解決手段】デジタルカメラによる印刷物の盗撮を防止する方式であって、印刷物の印刷面上に撮影禁止情報コードを記録し、デジタルカメラは印刷物を撮影するに際し撮影禁止情報の記録の有無を検出する手段を備え、デジタルカメラで印刷物のプレビュー画像を表示した際にデジタルカメラがプレビュー画像中に撮影禁止情報有りを検出するとデジタルカメラは印刷物の撮影を中止させる警告表示を行う。【選択図】      図１
2005217977.tif 000002
【特許請求の範囲】
【請求項１】
デジタルカメラによる印刷物の盗撮を防止する方式であって、前記印刷物は印刷面上に撮影情報コードが記録され、前記デジタルカメラは前記撮影情報コードから撮影禁止情報の記録の有無を検出する手段を備え、前記印刷物のプレビュー画像を表示した際に前記プレビュー画像中に前記撮影禁止情報有りを検出すると前記印刷物の撮影を中止させる警告表示を行うことを特徴とするデジタルカメラによる盗撮防止方式。
【請求項２】
前記デジタルカメラは前記プレビュー画像中に前記撮影禁止情報有りを検出すると前記印刷物の撮影を中止させる警告鳴動を行うことを特徴とする請求項１に記載のデジタルカメラによる盗撮防止方式。
【請求項３】
前記デジタルカメラは前記プレビュー画像中に前記撮影禁止情報有りを検出すると、前記デジタルカメラによる前記印刷物の撮影を中止することを特徴とする請求項１又は請求項２に記載のデジタルカメラによる盗撮防止方式。
【請求項４】
デジタルカメラによる印刷物の盗撮を防止する方式であって、前記印刷物は印刷面上に赤外光を反射する素材の撮影情報コードが記録され、前記デジタルカメラは撮像素子の前面に赤外光をカットするフィルタを備えると共に前期撮影情報コードから撮影禁止情報の記録の有無を検出する手段を備え、前記印刷物のプレビュー画像を表示する際に前記フィルタを前記撮像素子の前からはずして前記印刷物のプレビュー画像を表示し、前記プレビュー画像中に前記撮影禁止情報有りを検出すると前記デジタルカメラは前記印刷物の撮影を中止させる警告表示を行うことを特徴とするデジタルカメラによる盗撮防止方式。
【請求項５】
前記デジタルカメラは前記プレビュー画像中に前記撮影禁止情報有りを検出すると前記印刷物の撮影を中止させる警告鳴動を行うことを特徴とする請求項４に記載のデジタルカメラによる盗撮防止方式。
【請求項６】
前記デジタルカメラが前記プレビュー画像中に前記撮影禁止情報有りを検出すると前記デジタルカメラによる前記印刷物の撮影を中止することを特徴とする請求項４又は請求項５記載のデジタルカメラによる盗撮防止方式。
【請求項７】
デジタルカメラによる印刷物の盗撮を防止する方法であって、前記印刷物の印刷面上に撮影情報コードを記録し、前記デジタルカメラは前記印刷物を撮影するに際し前記撮影情報コードから撮影禁止情報の記録の有無を検出する手段を備え、前記デジタルカメラで前記印刷物のプレビュー画像を表示した際に前記プレビュー画像中に前記撮影禁止情報有りを検出すると前記印刷物の撮影を中止させる警告表示を行うことを特徴とするデジタルカメラによる盗撮防止方法。
【請求項８】
前記デジタルカメラは前記プレビュー画像中に前記撮影禁止情報有りを検出すると前記印刷物の撮影を中止させる警告鳴動を行うことを特徴とする請求項７に記載のデジタルカメラによる盗撮防止方法。
【請求項９】
前記デジタルカメラは前記プレビュー画像中に前記撮影禁止情報有りを検出すると前記デジタルカメラによる前記印刷物の撮影を中止することを特徴とする請求項７又は請求項８記載のデジタルカメラによる盗撮防止方法。
【請求項１０】
デジタルカメラによる印刷物の盗撮を防止する方法であって、前記印刷物の印刷面上に赤外光を反射する素材の撮影情報コードを記録し、前記デジタルカメラは撮像素子の前面に赤外光をカットするフィルタを備えると共に前記撮影禁止情報の記録の有無を検出する手段を備え、前記デジタルカメラで前記印刷物のプレビュー画像を表示する際に前記フィルタを前記撮像素子の前からはずして前記印刷物のプレビュー画像を表示し、前記デジタルカメラが前記プレビュー画像中に前記撮影禁止情報有りを検出すると前記デジタルカメラは前記印刷物の撮影を中止させる警告表示を行うことを特徴とするデジタルカメラによる盗撮防止方法。
【請求項１１】
前記デジタルカメラは前記プレビュー画像中に前記撮影禁止情報有りを検出すると前記印刷物の撮影を中止させる警告鳴動を行うことを特徴とする請求項１０に記載のデジタルカメラによる盗撮防止方法。
【請求項１２】
前記デジタルカメラは前記プレビュー画像中に前記撮影禁止情報有りを検出すると前記デジタルカメラによる前記印刷物の撮影を中止することを特徴とする請求項１０又は請求項１１記載のデジタルカメラによる盗撮防止方法。
【請求項１３】
印刷面上に記録される撮影情報コードから撮影禁止情報の記録の有無を検出する検出手段と、前記印刷物のプレビュー画像を表示した際に前記プレビュー画像中に前記撮影禁止情報有りを検出すると前記印刷物の撮影を中止させる警告表示を行う警告表示手段とを備えることを特徴とするデジタルカメラ。
【請求項１４】
前記デジタルカメラは前記プレビュー画像中に前記撮影禁止情報有りを検出すると前記印刷物の撮影を中止させる警告鳴動を行う警告鳴動手段を有することを特徴とする請求項１３に記載のデジタルカメラ。
【請求項１５】
前記デジタルカメラは前記プレビュー画像中に前記撮影禁止情報有りを検出すると前記印刷物の撮影を中止する撮影中止手段を備えることを特徴とする請求項１３又は請求項１４記載のデジタルカメラ。
【請求項１６】
撮像素子の前面に配置される赤外光をカットするフィルタと、印刷面上に赤外光を反射する素材で記録される撮影情報コードから撮影禁止情報の有無を画像信号から検出する検出手段と、前記印刷物のプレビュー画像を表示する際に前記フィルタを前記撮像素子の前からはずして前記印刷物のプレビュー画像を表示するプレビュー画像表示手段と、前記プレビュー画像中に前記撮影禁止情報有りを検出すると前記印刷物の撮影を中止させる警告表示を行う警告表示手段とを含むデジタルカメラ。
【請求項１７】
前記デジタルカメラは前記プレビュー画像中に前記撮影禁止情報有りを検出すると前記印刷物の撮影を中止させる警告鳴動を行う警告鳴動手段を備えることを特徴とする請求項１６記載のデジタルカメラ。
【請求項１８】
前記デジタルカメラは前記プレビュー画像中に前記撮影禁止情報有りを検出すると前記印刷物の撮影を中止する撮影中止手段を備えることを特徴とする請求項１６又は請求項１７記載のデジタルカメラ。
【請求項１９】
印刷面上に撮影情報コードを記録した印刷物の前記撮影情報コードから撮影禁止情報の記録の有無を検出する検出手段と前記印刷物のプレビュー画像を表示した際に前記プレビュー画像中に前記撮影禁止情報有りを検出すると前記印刷物の撮影を中止させる警告表示を行う警告表示手段とを備えるデジタルカメラ部と、無線回線により通信情報の送受信を行う携帯電話部と含むデジタルカメラ付き携帯電話。
【請求項２０】
前記デジタルカメラ部は前記プレビュー画像中に前記撮影禁止情報有りを検出すると前記印刷物の撮影を中止させる警告鳴動を行う警告鳴動手段を備えることを特徴とする請求項１９に記載のデジタルカメラ付き携帯電話。
【請求項２１】
前記デジタルカメラ部は前記プレビュー画像中に前記撮影禁止情報有りを検出すると前記印刷物の撮影を中止する撮影中止手段を備えることを特徴とする請求項１９又は項２０記載のデジタルカメラ付き携帯電話。
【請求項２２】
前記デジタルカメラ部は前記プレビュー画像中に前記撮影禁止情報有りを検出すると前記携帯電話部を介して前記印刷物の撮影が行なわれようとした旨を外部へ通報する通報手段を備えることを特徴とする請求項１９から請求項２１の何れか１項に記載のデジタルカメラ付き携帯電話。
【請求項２３】
撮像素子の前面に配置される赤外光をカットするフィルタと印刷面上に赤外光を反射する素材で記録される撮影情報コードから撮影禁止情報の有無を画像信号から検出する検出手段と前記印刷物のプレビュー画像を表示する際に前記フィルタを前記撮像素子の前からはずして前記印刷物のプレビュー画像を表示するプレビュー画像表示手段と前記プレビュー画像中に前記撮影禁止情報有りを検出すると前記印刷物の撮影を中止させる警告表示を行う警告表示手段とを含むデジタルカメラ部と、無線回線により通信情報の送受信を行う携帯電話部とを備えることを特徴とするデジタルカメラ付き携帯電話。
【請求項２４】
前記デジタルカメラ部は前記プレビュー画像中に前記撮影禁止情報有りを検出すると前記印刷物の撮影を中止させる警告鳴動を行う警告鳴動手段を備えることを特徴とする請求項２３に記載のデジタルカメラ付き携帯電話。
【請求項２５】
前記デジタルカメラ部は前記プレビュー画像中に前記撮影禁止情報有りを検出すると前記印刷物の撮影を中止する撮影中止手段を備えることを特徴とする請求項２３又は請求項２４記載のデジタルカメラ付き携帯電話。
【請求項２６】
前記デジタルカメラ部は前記プレビュー画像中に前記撮影禁止情報有りを検出すると前記携帯電話部を介して前記印刷物の撮影が行なわれようとした旨を外部へ通報する通報手段を備えることを特徴とする請求項２３から請求項２５の何れか１項に記載のデジタルカメラ付き携帯電話。
【請求項２７】
印刷面上に撮影情報コードが記録されていることを特徴とする印刷物。
【請求項２８】
前記撮影情報コードが可視の素材で記録されていることを特徴とする請求項２７記載の印刷物。
【請求項２９】
前記撮影情報コードが赤外光を反射する素材で記録されていることを特徴とする請求項２８記載の印刷物。
【請求項３０】
文字、図面、絵などの本来の情報を記録した印刷面と、可視光を透過する素材のフィルムとを含み、前記フィルムに撮影情報コードが記録された構造の印刷物。
【請求項３１】
前記撮影情報コードが可視の素材で記録された請求項３０記載の印刷物。    
【請求項３２】
前記フィルムは赤外光を反射する素材のフィルムであり、前記撮影情報コードが可視光を透過し赤外光を吸収する素材で前期フィルムに記録された請求項３０記載の印刷物。
【請求項３３】
前記フィルムは赤外光を吸収する素材のフィルムであり、前記撮影情報コードが可視光を透過し赤外光を反射する素材で前期フィルムに記録された請求項３０記載の印刷物。
【発明の詳細な説明】
【技術分野】
【０００１】
本発明は、デジタルカメラによる盗撮防止方式及び方法、デジタルカメラ、デジタルカメラ付き携帯電話、並びに、盗撮防止情報の記録された印刷物に関し、特に、デジタルカメラ或いはデジタルカメラ付き携帯電話において書籍・出版物などの印刷物の盗撮を防止することを可能とするデジタルカメラによる盗撮防止方式及び方法、デジタルカメラ、デジタルカメラ付き携帯電話、並びに盗撮防止情報の記録された印刷物に関する。
【背景技術】
【０００２】
近年の携帯電話は多機能化されてきており、デジタルカメラ機能を内蔵した携帯電話も数多く発売されるようになってきている。
【０００３】
携帯電話はその小型性の故に常に携行でき、いつでも写真が撮れる便利なツールとなってきたが、一方では、他人が知らぬ間に撮影するといった、所謂、盗撮行為が社会問題化してきている。
【０００４】
このような社会問題を解消するために、盗撮行為を検出し、また盗撮行為を防止するための撮像装置も提案されている。
【０００５】
特開２００１−１６９１７５（特許文献１）には、盗撮行為を検出し、また盗撮行為を防止するやり方として次のような技術を開示している。すなわち、盗撮の対象となりうる被写体に、盗撮防止情報発生装置（例えば、ある一定の点滅パターンで発光する発光体）を装着しておき、被写体にカメラが向けられた時に、撮像装置内のカメラセンサが被写体と同時に盗難防止情報発生装置の発光パターンを画像信号としてとらえ、その画像信号中に撮像装置が予め盗難防止情報として蓄積してある情報を検出すると盗撮防止信号を出力する。そして、盗撮防止信号を受け取ると、カメラセンサまたはデジタル信号処理部の電源をオフにする制御を行い、画像信号の出力を停止させる。
【０００６】
【特許文献１】特開２００１−１６９１７５号公報（第６−１９頁、図１−３１）
【発明の開示】
【発明が解決しようとする課題】
【０００７】
上述した特許文献１に記載の撮像装置は、盗撮の対象となる人物等の被写体が盗撮防止情報発生装置を装着していることが前提となっており、近年、特に社会問題化してきている、書籍・出版物などの印刷物を盗撮する、所謂、デジタル万引きに対応できるようにはなっていない。
【０００８】
また、書店における書籍や出版物などを撮影すること自体が問題であるということを、撮影者が認識していない場合もあり、書店側としても、携帯電話などを操作している人が盗撮しようとしているか否かの判断がつかないため、書店側から注意を喚起することも難しい状況にある。
【０００９】
本発明は、上述した事情に鑑みて成されたものであり、従って本発明の目的は、デジタルカメラ或いはデジタルカメラ付き携帯電話において、書籍・出版物などの印刷物を撮影しようとする際に、印刷物上に記録されている撮影禁止情報を検出した場合、該印刷物は撮影禁止である旨の注意情報を出力し、撮影を不可とする制御を行うことにより、書籍・出版物などの印刷物の盗撮を防止することを可能とするデジタルカメラによる盗撮防止方式及び方法、デジタルカメラ、デジタルカメラ付き携帯電話並びに盗難防止情報が記録された印刷物を提供することにある。
【課題を解決するための手段】
【００１０】
本発明によれば、デジタルカメラによる印刷物の盗撮防止方式であって、印刷物は印刷面上に撮影情報コードが記録され、デジタルカメラは撮影情報コードから撮影禁止情報の記録の有無を検出する手段を備え、印刷物のプレビュー画像を表示した際にプレビュー画像中に前記撮影禁止情報有りを検出すると印刷物の撮影を中止させる警告表示を行うデジタルカメラによる盗撮防止方式が得られる。
【００１１】
また、本発明によれば、デジタルカメラによる印刷物の盗撮防止方式であって、印刷物は印刷面上に赤外光を反射する素材の撮影情報コードが記録され、デジタルカメラは撮像素子の前面に赤外光をカットするフィルタを備えると共に撮影情報コードから撮影禁止情報の記録の有無を検出する手段を備え、印刷物のプレビュー画像を表示する際に前記フィルタを撮像素子の前からはずして前記印刷物のプレビュー画像を表示し、プレビュー画像中に前記撮影禁止情報有りを検出するとデジタルカメラは印刷物の撮影を中止させる警告表示を行うデジタルカメラによる盗撮防止方式が得られる。
【００１２】
本発明によれば、また、デジタルカメラによる印刷物の盗撮防止方法であって、印刷物の印刷面上に撮影情報コードを記録し、デジタルカメラは前記印刷物を撮影するに際し撮影情報コードから撮影禁止情報の記録の有無を検出する手段を備え、デジタルカメラで前記印刷物のプレビュー画像を表示した際にプレビュー画像中に撮影禁止情報有りを検出すると印刷物の撮影を中止させる警告表示を行うデジタルカメラによる盗撮防止方法が得られる。
【００１３】
本発明によれば、デジタルカメラによる印刷物の盗撮を防止する方法であって、印刷物の印刷面上に赤外光を反射する素材の撮影情報コードを記録し、デジタルカメラは撮像素子の前面に赤外光をカットするフィルタを備えると共に撮影情報コードから撮影禁止情報の記録の有無を検出する手段を備え、デジタルカメラで印刷物のプレビュー画像を表示する際にフィルタを撮像素子の前からはずして印刷物のプレビュー画像を表示し、デジタルカメラがプレビュー画像中に撮影禁止情報有りを検出するとデジタルカメラは印刷物の撮影を中止させる警告表示を行うことを特徴とするデジタルカメラによる盗撮防止方法が得られる。
【００１４】
本発明によれば、また、印刷面上に記録される撮影情報コードから撮影禁止情報の記録の有無を検出する検出手段と、印刷物のプレビュー画像を表示した際にプレビュー画像中に撮影禁止情報有りを検出すると前記印刷物の撮影を中止させる警告表示を行う警告表示手段とを含むデジタルカメラが得られる。
【００１５】
本発明によれば、また、撮像素子の前面に配置される赤外光をカットするフィルタと、印刷面上に赤外光を反射する素材で記録される撮影情報コードから撮影禁止情報の有無を検出する検出手段と、印刷物のプレビュー画像を表示する際にフィルタを撮像素子の前からはずして前記印刷物のプレビュー画像を表示するプレビュー画像表示手段と、プレビュー画像中に撮影禁止情報有りを検出すると印刷物の撮影を中止させる警告表示を行う警告表示手段とを含むデジタルカメラが得られる。
【００１６】
本発明によれば、上記各デジタルカメラによる盗撮防止方式、デジタルカメラによる盗撮防止方法、又はデジタルカメラにおいて、デジタルカメラはプレビュー画像中に撮影禁止情報有りを検出すると印刷物の撮影を中止させる警告鳴動を行う。さらに、デジタルカメラはプレビュー画像中に撮影禁止情報有りを検出すると、デジタルカメラによる印刷物の撮影を中止する。
【００１７】
本発明によれば、また、印刷面上に撮影情報コードを記録した印刷物の撮影情報コードから撮影禁止情報の記録の有無を検出する検出手段と印刷物のプレビュー画像を表示した際にプレビュー画像中に撮影禁止情報有りを検出すると印刷物の撮影を中止させる警告表示を行う警告表示手段とを備えるデジタルカメラ部と、無線回線により通信情報の送受信を行う携帯電話部と含むデジタルカメラ付き携帯電話が得られる。
【００１８】
デジタルカメラ部はプレビュー画像中に前記撮影禁止情報有りを検出すると印刷物の撮影を中止させる警告鳴動を行う警告鳴動手段を備えてよろしい。また、デジタルカメラ部はプレビュー画像中に撮影禁止情報有りを検出すると印刷物の撮影を中止する撮影中止手段を備える。  
本発明によれば、また、撮像素子の前面に配置される赤外光をカットするフィルタと印刷面上に赤外光を反射する素材で記録される撮影情報コードから撮影禁止情報の有無を画像信号から検出する検出手段と印刷物のプレビュー画像を表示する際に前記フィルタを撮像素子の前からはずして印刷物のプレビュー画像を表示するプレビュー画像表示手段とプレビュー画像中に前記撮影禁止情報有りを検出すると印刷物の撮影を中止させる警告表示を行う警告表示手段とを含むデジタルカメラ部と、無線回線により通信情報の送受信を行う携帯電話部とを含むデジタルカメラ付き携帯電話が得られる。
【００１９】
本発明によれば、上記デジタルカメラ付き携帯電話において、デジタルカメラ部は前記プレビュー画像中に前記撮影禁止情報有りを検出すると前記印刷物の撮影を中止させる警告鳴動を行う警告鳴動手段を備えている。さらに、デジタルカメラ部が前記プレビュー画像中に撮影禁止情報有りを検出すると携帯電話部を介して印刷物の撮影が行なわれようとした旨を外部へ通報する通報手段を含んでもよい。
【００２０】
さらに、本発明によれば、印刷面上に撮影情報コードを記録した印刷物が得られる。
【００２１】
発明の1つの視点によれば、印刷物に撮影情報コードは可視の素材で記録される。別の視点によれば、印刷物に撮影情報コードは赤外光を反射する素材で記録される。
【００２２】
本発明によれば、文字、図面、絵などの本来の情報を記録した印刷面と、可視光を透過する素材のフィルムとを含み、前記フィルムに撮影情報コードが記録された構造の印刷物が得られる。
【００２３】
発明の1つの視点によれば、撮影禁止情報が可視の素材で記録される。他の視点によれば、フィルムは赤外光を反射する素材のフィルムであり、撮影情報コードが可視光を透過し赤外光を吸収する素材で前期フィルムに記録される。さらに別の視点によれば、フィルムは赤外光を吸収する素材のフィルムであり、撮影情報コードが可視光を透過し赤外光を反射する素材でフィルムに記録される。
【発明の効果】
【００２４】
本発明では、印刷物の印刷面上に撮影情報コードを記録しておき、デジタルカメラ側で撮影前の画像プレビュー時に撮影情報コードから撮影禁止情報を検出した場合、撮影の中止を促す表示或いは警告音を出力し、撮影を不可とすることにより、書籍・出版物などの印刷物の不正撮影を防止することができる。
【００２５】
また、印刷物の印刷面上に赤外光を反射する素材で撮影情報コードを記録しておき、撮影前の画像プレビュー時には撮像素子の前面に可動式の赤外光をカットするフィルタをかけずに印刷物をプレビューし、プレビュー画像で撮影禁止情報を検出した場合、撮影の中止を促す表示或いは警告音を出力し、撮影を不可とすることにより、書籍・出版物などの印刷物の不正撮影を防止することができるようになり、プレビュー画像で撮影禁止情報を検出しなかった場合、デジタルカメラのフィルタをかけて撮影することにより、書籍・出版物などの印刷物の印刷面だけを撮影できる。
【００２６】
本発明は、文字、図面、絵などの本来の情報を記録した印刷面と、可視光を透過する素材のフィルムとを含み、前記フィルムに撮影情報コード化されて記録された構造の印刷物であって、フィルムは赤外光を反射する（又は吸収する）素材のフィルムであり、フィルムに撮影情報コードが可視光を透過し赤外光を吸収する（又は反射する）素材で記録しておき、デジタルカメラの撮像素子の前面に可動式の可視光線のみを透過させるフィルタを備えさせ、デジタルカメラ側で撮影前の画像プレビュー時にはフィルタをかけずに印刷物をプレビューし、プレビュー画像で撮影情報コードから撮影禁止情報を検出した場合、撮影の中止を促す表示或いは警告音を出力し、撮影を不可とすることにより、書籍・出版物などの印刷物の不正撮影を防止することができるようになり、プレビュー画像で撮影禁止情報を検出しなかった場合、デジタルカメラのフィルタをかけて撮影することにより、書籍・出版物などの印刷物の印刷面だけを撮影できるようになる。
【００２７】
さらに、撮影禁止情報が記録された印刷物を撮影しようとした場合、ネットワークを介して盗撮行為が行なわれようとした旨を通報することができる。
【発明を実施するための最良の形態】
【００２８】
次に、本発明の実施の形態について図面を参照して説明する。
【実施例１】
【００２９】
図１は、本発明のデジタルカメラによる盗撮防止方式の一実施形態を示す概念図である。
【００３０】
同図において、本実施の形態は、印刷面上に撮影情報コード２を記録してある雑誌、書籍、出版物などの印刷物１と、撮影機能を有するカメラ付携帯電話４とを含む。カメラ付携帯電話４は、カメラモジュール５と、カメラモジュール５を操作するためのキーなどからなる操作部６と、カメラモジュール５の撮影画像などを表示する表示部７とを有する。
【００３１】
図２を併せて参照すると、印刷物１の印刷面上には、印刷物１が本来の情報として提供する文字、絵、写真など人間の目で認識可能な情報（図では、「あああ・・・、いいい・・・」として示している。）に加えて、撮影情報コード２が記録されている。撮影情報コード２は、印刷物１の著作情報を示すコード情報であり、特に、印刷物１には著作権があり撮影を禁止する旨の情報（以降、撮影禁止情報と称する。）、又は、印刷物１の著作情報を示すがその撮影に関しては不問とする旨の情報（以降、撮影不問情報と称する。）で、判別できる情報として印刷物１の印刷面上に記録されている。撮影情報コード２は人間の目で認識可能なインクなどによって記録される。
【００３２】
撮影情報コードの形式として、図３の（ａ）に示す格子型形式で記録される撮影情報コード、または、（ｂ）に示すバーコード形式で記録される撮影情報コードを用いることができる。図４には、格子型形式の撮影情報コードが付されている。
【００３３】
図１に示したデジタルカメラ付き携帯電話４は、携帯電話機能に加えてデジタルカメラ機能を内蔵する携帯電話であり、図３に示す機能ブロックを有する。すなわち、デジタルカメラ付き携帯電話４は、撮影機能を有するカメラモジュール５と、カメラモジュール５が出力する画像情報をデジタル画像化するデジタル画像処理部４１と、デジタル画像処理部４１が出力するデジタル画像から撮影情報コード２を抽出する撮影情報コード抽出部４２と、デジタル画像処理部４１の出力するデジタル画像が撮影禁止でない場合に、該デジタル画像を写真として画像処理して蓄積する画像処理部４３と、カメラモジュール５を操作するためのキーなどからなる操作部６と、カメラモジュール５の撮影画像や、撮影禁止画像を撮影しようとした際に撮影を中止するよう警告するメッセージなどを表示する表示部７と、撮影禁止画像を撮影しようとした際に撮影を中止するよう警告する警告音を鳴動させるスピーカ８と、アンテナを介して携帯電話信号を送受信する無線部４５と、これら各部の動作制御を行う制御部４４とから構成されている。
【００３４】
制御部４４は、操作部６からカメラモジュール５に対する撮影操作のためのキー入力などが行われた場合に、操作入力情報をカメラモジュール５に出力し、カメラモジュール５の動作を制御する。また、デジタル画像処理部４１から出力されるデジタル画像を表示部７に表示する制御を行う。さらに、制御部４４は、撮影情報コード抽出部４２が抽出した撮影情報コード２を解析し、撮影情報コード２が撮影禁止情報を示している場合には、撮影を中止するよう警告するメッセージなどを表示部７に表示する。また、撮影を中止するよう警告する警告音をスピーカ８に鳴動させる。さらに、カメラモジュール５或いはデジタル画像処理部４１に対し撮影を不可とする制御情報を出力して撮影を中止させる。
【００３５】
さらに、撮影を中止するよう警告と共に、制御部は無線部４５を介して盗撮行為が行われ用とした旨を外部に通報する機能を備えてもよい。この場合には、撮影情報コードのなかに著作権管理団体あるいは著作権者の電話番号コードを加えておき、その電話番号へ携帯電話の自動発信機能を用いて通報することができる。
【００３６】
デジタルカメラ付き携帯電話４のカメラモジュール５は、図５に示すように、被写体からの光線を結像させるためのレンズ５１と、被写体からの光線のうち可視光線のみを透過させ可視外光線（赤外線や紫外線）は透過させずにカットするフィルタ５２と、レンズ５１を通過して結像される被写体の像を映像信号に変換する撮像素子５３から構成されている。
【００３７】
図６に示すように、光線の内、波長の長いものが（ａ）で示す赤外線であり、波長の短いものが（ｃ）で示す紫外線である。赤外線と紫外線を、本実施形態では可視外光線と称している。そして、赤外線（ａ）と紫外線（ｃ）の間の波長のものが（ｂ）で示す可視光線の領域である。
【００３８】
自然光やストロボ光や照明光には可視光線の他に赤外光が含まれている。通常、赤外線はカメラの撮影画像に影響を与え、赤外線をカットしない場合には、撮影画像に赤外線による画像が写し込まれてしまうため、赤外線をカットするようにフィルタ５２を配置するようにしたものである。
【００３９】
図５のカメラモジュール５のフィルタ５２は、可動式の構造になっており、写真を写す前にファインダーから見える画像と同一の画像を表示部７（図１、図４に示した表示部７）に表示する画像プレビュー時には、赤外線等の可視外光線も受光できるように撮像素子５３の前面からはずれ、写真の撮影時には可視光線だけが撮像素子５３に当たるようにその前面に配置されるようになっている。これらの様子はそれぞれ図7の（ａ）及び（ｂ）に示してある。
【００４０】
撮像素子５３は、レンズ５１を通過してきた被写体の結像を映像信号に変換するための素子であり、ＣＣＤ（Charge Coupled Device）センサ又はＣＭＯＳ（Complementary Metal-Oxide Semiconductor）センサが用いられる。
【００４１】
次に、図１及び図４と共に図8のフローチャートを参照して、デジタルカメラによる盗撮防止方式の動作について説明する。
【００４２】
図８において、図２に示す印刷物１にカメラを向けデジタルカメラ付き携帯電話４のカメラのスイッチ（図示せず）を入れると（ステップＳ１）、デジタルカメラ付き携帯電話４は、カメラモジュール５による印刷物１のプレビュー画像を表示部７に表示する（ステップＳ２）。
【００４３】
その後、カメラモジュール５の図示しないシャッターが押下されると（ステップＳ３）、デジタルカメラ付き携帯電話４の撮影情報コード抽出部４２は、デジタル画像処理部４１が出力するプレビュー画像であるところのデジタル画像内に撮影情報コード２が含まれていればそれを抽出して制御部４４に渡す。なお、図２に示す印刷物１の撮影情報コード２は、可視の情報として記録されているため、プレビュー画像には撮影情報コード２が可視の状態で写っており、撮影情報コード抽出部４２は該撮影情報コード２を抽出することができる。
【００４４】
制御部４４は渡された撮影情報コード２を解析し（ステップＳ４）、撮影情報コード２が撮影禁止情報であるか否かを判定する（ステップＳ５）。
【００４５】
撮影情報コード２が撮影禁止情報を示している場合は（ステップＳ５で「いいえ」）、印刷物１の撮影は禁止されているものであるため、制御部４４は、撮影を中止するよう警告するメッセージなどを表示部７に表示しする。また、撮影を中止するよう警告する警告音をスピーカ８に鳴動させる（ステップＳ６）。そして、制御部４４は、カメラモジュール５或いはデジタル画像処理部４１に対し撮影を不可とする制御情報を出力して撮影を中止させる。従って、この場合、デジタル画像処理部４１からのデジタル画像は画像処理部４３に出力されなくなり、写真の撮影は行われない。その後、プレビュー画像の表示（ステップＳ２）に戻る。
【００４６】
撮影情報コード２が撮影禁止情報でない場合或いは撮影情報コード２が撮影情報コード抽出部４２によって抽出されない場合は（ステップＳ５で「はい」）、印刷物１の撮影は禁止されていないものとして、画像処理部４３を起動することによって撮影を実行し（ステップＳ７）、画像処理部４３はデジタル画像処理部４１からのデジタル画像を写真として画像処理して蓄積し（ステップＳ８）、撮影を完了する（ステップＳ９）。
【００４７】
なお、上述のステップＳ６において、撮影を中止するよう警告を出すと共に撮影行為が行われようとしている旨を、無線部４５を介して外部に通報させるようにしてもよい。
【００４８】
本実施例ではカメラモジュールは赤外線カットフィルタ５２がプレビューの際に撮像素子の前面から外れ、撮影時に前面にくる構成のものを使用したが、可視の撮像情報コードが記録された印刷物を撮影するような場合には、フィルタはなくてもよい。
【００４９】
以上説明したように、本実施例によれば、印刷物の印刷面上に可視の撮影情報コードを記録しておき、デジタルカメラ側で撮影前の画像プレビュー時に撮影情報コードから撮影禁止情報を検出した場合、撮影の中止を促す表示或いは警告音を出力し、撮影を不可とすることにより、書籍・出版物などの印刷物の不正撮影を防止することができる。
【００５０】
また、撮影禁止情報が記録された印刷物を撮影しようとした場合、ネットワークを介して盗撮行為が行われようとした旨を外部に通報することもできる。
【００５１】
さらに、本発明では、印刷物の印刷面上に撮影情報コードが記録されているため、何らかの手段によって無許可で撮影された画像が、例えば、インターネット上に掲載され公開された場合であっても、無許可で撮影された画像であるということが容易に判別可能となる。
【実施例２】
【００５２】
実施例２では、図２の印刷物１の撮影情報コード２が、不可視の情報として記録されている場合、すなわち、撮影情報コードが赤外線を反射する素材で記録されている場合である。実施例１では、撮影情報コードは印刷物に可視で表示されるので印刷物の内容に関心のある正規な読者にとっては余分な或いは目障りな情報である。実施例２では、撮影情報コードは不可視の情報として記録されるので読者には見えず通常の印刷物と変わらなく見える。しかし、デジタルカメラは撮影情報コード読み取り内容に応じて、撮影を禁じたり、撮影を許したりすることができる。しかも撮影を許す情報の場合は、撮影した写真には撮影情報コードが現われない。
【００５３】
デジタルカメラ付携帯電話は、実施例１に関して説明した図１、図４、図５及び図７のものが使用される。また、デジタルカメラの動作についても実施例１に用いた図７及び図８を用いる。
【００５４】
不可視の情報として撮影情報コードが付された印刷物に対するデジタルカメラを用いた撮影について説明する。
【００５５】
図１、図２、図４、図７と併せて図８を参照すると、デジタルカメラ付き携帯電話４で図２に示す印刷物１を撮影しようとしたものとする（図８のステップＳ１）。本実施例の場合、図２で、情報撮影コード２は不可視であるが説明の便宜上見えるように表示してあるとする。
【００５６】
デジタルカメラ付き携帯電話４は、カメラモジュール５による印刷物１のプレビュー画像を表示部７に表示する（図８のステップＳ２）。このとき、図７（ａ）で示すように、カメラモジュール５のフィルタ５２は、撮像素子５３の前からずれた位置に配置される。フィルタ５２が撮像素子５３の前から外れていることにより、図２の印刷物１に記録されている撮影情報コード２がプレビュー画像上に表示されるようになる。これは、図７の（ａ）の撮像素子５３が赤外線に反応して、赤外線を反射する不可視の反射剤等で記録されている撮影情報コード２も表示できるようになるためである。
【００５７】
その後、カメラモジュール５の図示しないシャッターが押下されると（図８のステップＳ３）、デジタルカメラ付き携帯電話４の撮影情報コード抽出部４２は、デジタル画像処理部４１が出力するプレビュー画像であるところのデジタル画像内に撮影情報コード２が含まれていればそれを抽出して制御部４４に渡す。制御部４４は渡された撮影情報コード２を解析し（図８のステップＳ４）、撮影情報コード２が撮影禁止情報であるか否かを判定する（図８のステップＳ５）。
【００５８】
撮影情報コード２が撮影禁止情報であることを示している場合は（ステップＳ５で「いいえ」）、該印刷物１の撮影は禁止されているものであるため、制御部４４は、撮影を中止するよう警告するメッセージなどを表示部７に表示し、また、撮影を中止するよう警告する警告音をスピーカ８に鳴動させる（図８のステップＳ６）。そして、制御部４４は、カメラモジュール５或いはデジタル画像処理部４１に対し撮影を不可とする制御情報を出力して撮影を中止させる。従って、この場合、デジタル画像処理部４１からのデジタル画像は画像処理部４３に出力されなくなり、写真の撮影は行われない。その後、プレビュー画像の表示（図８のステップＳ２）に戻る。
【００５９】
撮影情報コード２が撮影禁止情報でない場合或いは撮影情報コード２が撮影情報コード抽出部４２によって抽出されない場合は（図８のステップＳ５で「はい」）、該印刷物１の撮影は禁止されていないものとして、図７の（ｂ）のようにフィルタ５２を撮像素子５３の前に移動させることにより、撮影時には赤外線をカットするようにする。そして、画像処理部を起動して撮影を実行し（図８のステップＳ７）、画像処理部４３はデジタル画像を写真として画像処理して蓄積し（図８のステップＳ８）、撮影を完了する（図８のステップＳ９）。ステップＳ７における撮影実行時には、印刷物１からの赤外線はカットされているため、印刷物１上に不可視の情報として撮影情報コード２が記録されていても、該撮影情報コード２は写真に写らない。
【００６０】
以上説明したように、実施例２では、印刷物の印刷面上に不可視の撮影情報コードを記録しておき、デジタルカメラの受光素子の前面に可動式の可視光線のみを透過させるフィルタを備えさせ、デジタルカメラ側で撮影前の画像プレビュー時にはフィルタをかけずに印刷物をプレビューし、プレビュー画像で撮影情報コードから撮影禁止情報を検出した場合、撮影の中止を促す表示或いは警告音を出力し、撮影を不可とすることができるので、書籍・出版物などの印刷物の不正撮影を防止することができるようになる。また、プレビュー画像で撮影禁止情報を検出しなかった場合、デジタルカメラのフィルタをかけて撮影することにより、書籍・出版物などの印刷物の印刷面だけを撮影できる。
【実施例３】
【００６１】
実施例３では、印刷物への撮影情報コードが、文字などの本来の情報が印刷されている印刷面とは別のフィルムに記録されている。
【００６２】
図９は印刷物の構造を示し、（ａ）は断面図、（ｂ）は平面図である。同図において、印刷物は、印刷面となるベース１１上にフィルム１２が貼り付けられた構造である。フィルム１２は可視光線に対して及び赤外光に対して透明で、その上に可視のインクで、又は赤外線を反射するインクで撮影情報コードが記録される。
【００６３】
図１０の（ａ）は、撮影情報コード２を記録したフィルム１２とベースとなる紙面に本来の情報である文字を記録したベースである紙面を示している。そして、同図の（ｂ）は、これらを重ね合わせた印刷物である。
【００６４】
この実施例の印刷物は、紙面とは別にフィルムに撮影情報コードを記録すればよいから、紙面の印刷が出来上がった後にも必要に応じて撮影情報コードを付することができる。
【００６５】
この印刷物を実施例１及び実施例２で使用した携帯電話のデジタルカメラ機能で撮影した場合のデジタルカメラの動作については、それぞれ、フィルム上に可視のインクで撮影情報コードを記録した場合については実施例１と同じ動作をし、赤外線を反射するインクで撮影情報コードが記録した場合には、実施例２で説明した場合と同じ動作をする。したがって、実施例３ではそれらの具体的説明は省略する。
【実施例４】
【００６６】
実施例４は、使用する印刷物は実施例３で用いた構造と似ている。異なる点は、可視光に対して透明で赤外光を反射するフィルム素材の上に可視光を透過し赤外光を吸収するインクで撮影情報コードを記録してある点である。
【００６７】
簡略化のために、図９及び図１０のフィルムが、このようなフィルムであるとしてこれら図面を借りて説明する。すなわち、図３及び図４においてフィルム１２は、可視光に対して透明で赤外光を反射するフィルム素材であり、その上に赤外光を吸収するインクで撮影情報コード２が記録してあるとする。
【００６８】
デジタルカメラ付携帯電話は、実施例１に関して説明した図１、図４、図５及び図７のものが使用される。また、デジタルカメラの動作についても実施例１に用いた図７及び図８を用いる。
【００６９】
図１、図２、図４、図７と併せて図８を参照すると、デジタルカメラ付き携帯電話４は、図９又は１０に示す印刷物１を撮影しようとする（図８のステップＳ１）。  
デジタルカメラ付き携帯電話４は、カメラモジュール５による印刷物１のプレビュー画像を表示部７に表示する（図８のステップＳ２）。このとき、図７の（ａ）で示すように、カメラモジュール５のフィルタ５２は、撮像素子５３の前からずれた位置に配置される。フィルタ５２が撮像素子５３の前からずれていることにより、図１０の（ａ）の右図のように、赤外線反射フィルム素材１２に可視光に対して透明で赤外光を吸収するインクで記録されている撮影情報コード２がプレビュー画像上に表示されるようになる。これは、図７（ａ）の撮像素子５３が可視光だけでなく赤外光に対しても感度を有するため赤外光を反射するバックグランドの中に赤外光を吸収する撮影情報コードが表示されるからである。この状態では、印刷面からの可視光の反射光も撮像素子で受光されるが、フィルム素材から反射する赤外光によるイメージと混ざりあって表示部上では印刷面に記録された本来の情報は判別しにくい。白黒表示で見ると印刷面の情報はフィルムによってマスクされ、撮影情報コードだけが見える状態になる。
【００７０】
その後、カメラモジュール５の図示しないシャッターが押下されると（図８のステップＳ３）、デジタルカメラ付き携帯電話４の撮影情報コード抽出部４２は、デジタル画像処理部４１が出力するプレビュー画像であるところのデジタル画像内に撮影情報コード２が含まれていればそれを抽出して制御部４４に渡す。制御部４４は渡された撮影情報コード２を解析し（図８のステップＳ４）、該撮影情報コード２が撮影禁止情報であるか否かを判定する（図８のステップＳ５）。
【００７１】
撮影情報コード２が撮影禁止情報であること示している場合は（ステップＳ５で「いいえ」）、該印刷物１の撮影は禁止されているものであるため、制御部４４は、撮影を中止するよう警告するメッセージなどを表示部７に表示し、また、撮影を中止するよう警告する警告音をスピーカ８に鳴動させる（図８のステップＳ６）。そして、制御部４４は、カメラモジュール５或いはデジタル画像処理部４１に対し撮影を不可とする制御情報を出力して撮影を中止させる。従って、この場合、デジタル画像処理部４１からのデジタル画像は画像処理部４３に出力されなくなり、写真の撮影は行われない。その後、プレビュー画像の表示（図８のステップＳ２）に戻る。
【００７２】
撮影情報コード２が撮影禁止情報でない場合或いは撮影情報コード２が撮影情報コード抽出部４２によって抽出されない場合は（図８のステップＳ５で「はい」）、該印刷物１の撮影は禁止されていないものとして、図７の（ｂ）のようにフィルタ５２を撮像素子５３の前に移動させることにより、撮影時には赤外線をカットするようにする。そして、撮影を実行し（図８のステップＳ７）、画像処理部４３はデジタル画像を写真として画像処理して蓄積し（図８のステップＳ８）、撮影を完了する（図８のステップＳ９）。ステップＳ７における撮影実行時には、赤外反射フィルムからの赤外線はカットされているため、印刷物１上に不可視の情報として撮影情報コード２が記録されていても、該撮影情報コード２は写真には写らない。
【００７３】
上記実施例では、印刷物１は、本来の情報を印刷した紙面にフィルム１２として可視光に対して透明で赤外光を反射するフィルム素材を用い、その上に可視光を透過し赤外光を吸収するインクで撮影情報コード２が記録してあるとしたが、フィルム１２は、可視光に対して透明で赤外光を吸収する素材のファイルに可視光を透過し赤外光を反射する素材のインクで撮影情報コードを記録したものを用いてもよい。この印刷物を、携帯電話のデジタルカメラ機能で撮影場合には、実施例３における可視光に透明なフィルムに赤外光を反射する素材のインクで撮影情報コードを記録した場合の印刷物を撮影する場合の動作と同じになる。
【００７４】
以上説明したように、印刷物の印刷面上に不可視の赤外線反射（又は吸収）素材を貼りあわせ、赤外線吸収（又は反射）素材によって撮影情報コードを記録しておき、デジタルカメラの受光素子の前面に可動式の可視光線のみを透過させるフィルタを備えさせ、デジタルカメラ側で撮影前の画像プレビュー時にはフィルタをかけずに印刷物をプレビューし、プレビュー画像で撮影情報コードから撮影禁止情報を検出した場合、撮影の中止を促す表示或いは警告音を出力し、撮影を不可とすることができるので、書籍・出版物などの印刷物の不正撮影を防止することができるようになる。また、プレビュー画像で撮影禁止情報を検出しなかった場合、デジタルカメラのフィルタをかけて撮影することにより、書籍・出版物などの印刷物の印刷面だけを撮影できるようになる。
【００７５】
さらに、赤外線反射（吸収）素材を赤外線を反射する素材だけを用いて形成するようにすれば、印刷物の全面から赤外線が反射されるようになるため、該印刷物を、フィルタをかけないカメラの画像として見ると、印刷物の全面がぬりつぶされた画像としてしか見えなくなり、該印刷物は撮影を禁止されていることが容易に判別可能となる。
【００７６】
またさらに、赤外線反射（吸収）素材は、赤外線を反射する素材又は赤外線を吸収する素材の何れを用いても形成可能であるため、印刷物の製作において使用素材を幅広く選択することが可能となる。
【００７７】
上記各実施例では、カメラ機能付携帯電話を用いた実施例について説明したが、携帯電話機能を持たないデジタルカメラであってもよい。この場合デジタルカメラには携帯電話で説明した無線部は無いから，盗撮行為が行われようとしたことを外部に通報することはできないが、これ以外の上記各実施例で説明してきた事項は適用できる。
【図面の簡単な説明】
【００７８】
【図１】本発明のデジタルカメラによる盗撮防止方式の概念図である。
【図２】本発明の実施例の印刷物を示す図である。
【図３】本発明の実施例で使用する印刷物上に記録される撮影情報コードの例を示す図である。
【図４】本発明での実施例で使用するデジタルカメラ付き携帯電話の一例を示すブロック図である。
【図５】本発明で使用するデジタルカメラ付き携帯電話のカメラモジュールの詳細構成を示す図である。
【図６】可視光線と可視外光線について説明する図である。
【図７】図５に示したカメラモジュールのフィルタの動きを説明する図である。
【図８】図１の実施形態の動作を説明するフローチャートである。
【図９】印刷物の別の実施例の構造を示す図である。
【図１０】印刷物の別の実施例において撮影情報コードを記録した様子を示す図である。
【符号の説明】
【００７９】
１    印刷物
１１    印刷面
１２    フィルム
２    撮影情報コード
４    デジタルカメラ付き携帯電話
４１    デジタル画像処理部
４２    撮影情報コード抽出部
４３    画像処理部
４４    制御部
４５    無線部
５    カメラモジュール
５１    レンズ
５２    フィルタ
５３    撮像素子
６    操作部
７    表示部
８    スピーカ
【図１】
2005217977.tif 000003
【図２】
2005217977.tif 000004
【図３】
2005217977.tif 000005
【図４】
2005217977.tif 000006
【図５】
2005217977.tif 000007
【図６】
2005217977.tif 000008
【図７】
2005217977.tif 000009
【図８】
2005217977.tif 000010
【図９】
2005217977.tif 000011
【図１０】
2005217977.tif 000012